(57)【特許請求の範囲】
【請求項１】
有色トナーの有色付与量を画素毎に規定した有色トナー版データと、特色トナーの特色付与量を画素毎に規定した特色トナー版データと、を含む印刷用データを取得する取得部と、
前記有色トナー版データに規定された画素毎の前記有色付与量の各々を、色を示す色情報に変換した色版データを生成する色版生成部と、
前記色版データに基づいて、前記特色トナー版データに規定された前記特色付与量を補正するための補正値を画素毎に算出する補正値算出部と、
前記特色トナー版データに規定された画素毎の前記特色付与量を、対応する画素の前記補正値を用いて補正した補正特色トナー版データを生成する補正版生成部と、
前記有色トナー版データと、前記補正特色トナー版データと、を含む印刷データを、画像形成装置へ出力する出力部と、
を備え、
前記色版生成部は、
前記有色トナー版データに規定された前記有色付与量の各々を、明度、色相、および彩度によって表される前記色情報に変換した、前記色版データを生成する、
画像処理装置。
【請求項２】
前記補正値算出部は、
前記色版データに基づいて、前記色情報によって表される明度が高いほど前記特色付与量が多くなるように、前記特色トナー版データを補正するための第１の補正値を前記補正値として画素毎に算出する第１の算出部を含む、請求項１に記載の画像処理装置。
【請求項３】
前記補正値算出部は、
前記色版データに基づいて、予め定めた色空間における、前記色情報によって表される色相および彩度によって示される位置が、前記色空間における予め定めた基準領域から離れるほど前記特色付与量が少なくなるように、前記特色トナー版データを補正するための第２の補正値を前記補正値として画素毎に算出する第２の算出部を含む、請求項１に記載の画像処理装置。
【請求項４】
前記補正値算出部は、
前記色版データに基づいて、前記色情報によって表される前記明度が高いほど前記特色付与量が多くなるように、前記特色トナー版データを補正するための第１の補正値を画素毎に算出する第１の算出部と、
前記色版データに基づいて、予め定めた色空間における、前記色情報によって表される色相および彩度によって示される位置が、前記色空間における予め定めた基準領域から離れるほど前記特色付与量が多くなるように、前記特色トナー版データを補正するための第２の補正値を画素毎に算出する第２の算出部と、
を含み、前記補正値算出部は、画素毎に算出した前記第１の補正値と前記第２の補正値との乗算値を、前記補正値として画素毎に算出する、請求項１に記載の画像処理装置。
【請求項５】
前記特色トナーを付与する特色領域の指定を受付ける受付部と、
受付けた前記特色領域を構成する画素に予め定めた値を前記特色付与量として規定し、前記特色領域以外の外部領域を構成する画素に付与量無しを示す値を前記特色付与量として規定した、前記特色トナー版データを生成する特色版生成部と、
を備え、
前記取得部は、前記有色トナー版データと、前記特色版生成部で生成された前記特色トナー版データと、を含む前記印刷用データを取得する、
請求項１〜請求項４の何れか１項に記載の画像処理装置。
【請求項６】
前記特色トナーは、金属色の金属トナーである、請求項１〜請求項５の何れか１項に記載の画像処理装置。
【請求項７】
有色トナーの有色付与量を画素毎に規定した有色トナー版データと、特色トナーの特色付与量を画素毎に規定した特色トナー版データと、を含む印刷用データを取得する取得部と、
前記有色トナー版データに規定された画素毎の前記有色付与量の各々を、色を示す色情報に変換した色版データを生成する色版生成部と、
前記色版データに基づいて、前記特色トナー版データに規定された前記特色付与量を補正するための補正値を画素毎に算出する補正値算出部と、
前記特色トナー版データに規定された画素毎の前記特色付与量を、対応する画素の前記補正値を用いて補正した補正特色トナー版データを生成する補正版生成部と、
前記有色トナー版データと、前記補正特色トナー版データと、を含む印刷データに基づいて、前記有色トナーによる有色画像および前記特色トナーによる特色画像を記録媒体に形成する画像形成部と、
を備え、
前記色版生成部は、
前記有色トナー版データに規定された前記有色付与量の各々を、明度、色相、および彩度によって表される前記色情報に変換した、前記色版データを生成する、
画像形成装置。
【請求項８】
有色トナーの有色付与量を画素毎に規定した有色トナー版データと、特色トナーの特色付与量を画素毎に規定した特色トナー版データと、を含む印刷用データを取得する取得部と、
前記有色トナー版データに規定された画素毎の前記有色付与量の各々を、色を示す色情報に変換した色版データを生成する色版生成部と、
前記色版データに基づいて、前記特色トナー版データに規定された前記特色付与量を補正するための補正値を画素毎に算出する補正値算出部と、
前記特色トナー版データに規定された画素毎の前記特色付与量を、対応する画素の前記補正値を用いて補正した補正特色トナー版データを生成する補正版生成部と、
前記有色トナー版データと、前記補正特色トナー版データと、を含む印刷データを、画像形成装置へ出力する出力部と、
を備え、
前記色版生成部は、
前記有色トナー版データに規定された前記有色付与量の各々を、明度、色相、および彩度によって表される前記色情報に変換した、前記色版データを生成する、
画像処理システム。
【請求項９】
有色トナーの有色付与量を画素毎に規定した有色トナー版データと、特色トナーの特色付与量を画素毎に規定した特色トナー版データと、を含む印刷用データを取得する取得ステップと、
前記有色トナー版データに規定された画素毎の前記有色付与量の各々を、色を示す色情報に変換した色版データを生成する色版生成ステップと、
前記色版データに基づいて、前記特色トナー版データに規定された前記特色付与量を補正するための補正値を画素毎に算出する算出ステップと、
前記特色トナー版データに規定された画素毎の前記特色付与量を、対応する画素の前記補正値を用いて補正した補正特色トナー版データを生成する補正版生成ステップと、
前記有色トナー版データと、前記補正特色トナー版データと、を含む印刷データを、画像形成装置へ出力する出力ステップと、
を含み、
前記色版生成ステップは、
前記有色トナー版データに規定された前記有色付与量の各々を、明度、色相、および彩度によって表される前記色情報に変換した、前記色版データを生成する、
画像処理方法。
【請求項１０】
有色トナーの有色付与量を画素毎に規定した有色トナー版データと、特色トナーの特色付与量を画素毎に規定した特色トナー版データと、を含む印刷用データを取得する取得ステップと、
前記有色トナー版データに規定された画素毎の前記有色付与量の各々を、色を示す色情報に変換した色版データを生成する色版生成ステップと、
前記色版データに基づいて、前記特色トナー版データに規定された前記特色付与量を補正するための補正値を画素毎に算出する算出ステップと、
前記特色トナー版データに規定された画素毎の前記特色付与量を、対応する画素の前記補正値を用いて補正した補正特色トナー版データを生成する補正版生成ステップと、
前記有色トナー版データと、前記補正特色トナー版データと、を含む印刷データを、画像形成装置へ出力する出力ステップと、
をコンピュータに実行させるための画像処理プログラムであって、
前記色版生成ステップは、
前記有色トナー版データに規定された前記有色付与量の各々を、明度、色相、および彩度によって表される前記色情報に変換した、前記色版データを生成する、
画像処理プログラム。
【発明の詳細な説明】
【技術分野】
【０００１】
本発明は、画像処理装置、画像形成装置、画像処理システム、画像処理方法、および画像処理プログラムに関する。
【背景技術】
【０００２】
ＣＭＹＫ等の有色トナーの他に、有色トナー以外の特色トナーを用いて画像を形成する装置が知られている。また、特色トナーを用いて、記録媒体に光沢等の特色効果を与える技術が知られている（例えば、特許文献１参照）。
【０００３】
特許文献１には、特色トナーとして、金属トナーを用いた構成が開示されている。また、特許文献１には、有色トナーによって形成されるプロセス色の色材の総量が多くなるほど、プロセス色の色材上に重ねるメタリック色材の量を多くすることが開示されている。この技術により、特許文献１では、有色トナーによって形成されるプロセス色の色材料量が多い場合の、金属光沢感の低減を抑制している。
【発明の概要】
【発明が解決しようとする課題】
【０００４】
しかしながら、従来では、画素毎に付与する有色トナーの総量に応じて、特色トナーの付与量を調整していた。このため、有色トナーによって実現される色味が特色トナーによって損なわれる場合があった。
【課題を解決するための手段】
【０００５】
上述した課題を解決し、目的を達成するために、画像処理装置は、有色トナーの有色付与量を画素毎に規定した有色トナー版データと、特色トナーの特色付与量を画素毎に規定した特色トナー版データと、を含む印刷用データを取得する取得部と、前記有色トナー版データに規定された画素毎の前記有色付与量の各々を、色を示す色情報に変換した色版データを生成する色版生成部と、前記色版データに基づいて、前記特色トナー版データに規定された前記特色付与量を補正するための補正値を画素毎に算出する補正値算出部と、前記特色トナー版データに規定された画素毎の前記特色付与量を、対応する画素の前記補正値を用いて補正した補正特色トナー版データを生成する補正版生成部と、前記有色トナー版データと、前記補正特色トナー版データと、を含む印刷データを、画像形成装置へ出力する出力部と、を備える。前記色版生成部は、前記有色トナー版データに規定された前記有色付与量の各々を、明度、色相、および彩度によって表される前記色情報に変換した、前記色版データを生成する。
【発明の効果】
【０００６】
本発明によれば、有色トナーによって実現される色味を損なわずに、特色トナーによる特色効果を実現することができる、という効果を奏する。
【図面の簡単な説明】
【０００７】
【図１】図１は、本実施の形態の画像処理システムの構成の一例を示す図である。
【図２】図２は、入力画像データの構成例を概念的に示す模式図である。
【図３】図３は、有色版データおよび特色版データの具体例を示す説明図である。
【図４】図４は、画像形成装置の一例を示す模式図である。
【図５】図５は、ＤＦＥの機能的構成の一例を示すブロック図である。
【図６】図６は、印刷用データの一例を示す模式図である。
【図７】図７は、補正部の機能的構成例を示すブロック図である。
【図８】図８は、抽出処理の一例の説明図である。
【図９】図９は、色情報変換テーブルのデータ構成の一例を示す模式図である。
【図１０】図１０は、色版データ生成の一例の説明図である。
【図１１】図１１は、第１補正値テーブルおよび後述する第２補正値テーブルのデータ構成の一例を示す模式図である。
【図１２】図１２は、補正値算出処理の説明図である。
【図１３】図１３は、補正版生成処理の説明図である。
【図１４】図１４は、印刷データを示す模式図である。
【図１５】図１５は、画像処理の手順の一例を示すフローチャートである。
【図１６】図１６は、ＤＦＥの機能的構成の一例を示すブロック図である。
【図１７】図１７は、画像処理の手順の一例を示すフローチャートである。
【図１８】図１８は、画像処理システムの一例を示す模式図である。
【図１９】図１９は、画像処理システムの構成を例示する図である。
【図２０】図２０は、ハードウェア構成図である。
【発明を実施するための形態】
【０００８】
以下に添付図面を参照して、画像処理装置、画像形成装置、画像処理システム、画像処理方法、および画像処理プログラムの実施の形態を詳細に説明する。
【０００９】
（第１の実施の形態）
まず、本実施の形態に係る画像処理システム１の構成を説明する。
【００１０】
図１は、本実施の形態の画像処理システム１の構成の一例を示す図である。本実施の形態では、画像処理システム１は、ＤＦＥ（Ｄｉｇｉｔａｌ  Ｆｒｏｎｔ  Ｅｎｄ）２０と、ＭＩＣ（Ｍｅｃｈａｎｉｓｍ  Ｉ／Ｆ  Ｃｏｎｔｏｒｏｌｌｅｒ）３０と、を備える。ＤＦＥ２０はホスト装置１０に接続されている。ＭＩＣ３０は、ＤＦＥ２０に接続されている。画像形成装置４０は、ＭＩＣ３０を介してＤＦＥ２０に接続されている。
【００１１】
ＤＦＥ２０は、本実施の形態の画像処理を行う装置である（詳細後述）。本実施の形態では、画像処理装置を、ＤＦＥ２０に適用した構成を一例として説明する。ＤＦＥ２０は、ＭＩＣ３０を介して画像形成装置４０と通信を行い、画像形成装置４０における画像形成を制御する。
【００１２】
ＤＦＥ２０には、ホスト装置１０が接続されている。ホスト装置１０は、ＰＣ（Ｐｅｒｓｏｎａｌ  Ｃｏｍｐｕｔｅｒ）などである。ＤＦＥ２０は、ホスト装置１０から入力画像データを受信する。
【００１３】
図２は、入力画像データ５０の構成例を概念的に示す模式図である。入力画像データ５０は、例えば、ジョブコマンド５１と、有色版データ５２と、特色版データ５４と、を含む。
【００１４】
ジョブコマンド５１は、画像形成装置４０における画像形成条件を指定するためのコマンドを含む。例えば、ジョブコマンド５１は、画像形成装置４０の設定、集約の設定、両面の設定などを画像形成装置４０に対して指定するためのコマンドを含む。図２には、ジョブコマンド５１の一例として、ＪＤＦ（Ｊｏｂ  Ｄｅｆｉｎｉｔｉｏｎ  Ｆｏｒｍａｔ）を示した。しかし、ジョブコマンド５１は、図２に示す形態に限定されない。
【００１５】
有色版データ５２は、オブジェクトごとにＲＧＢやＣＭＹＫ等の有色の濃度値を規定した画像データである。例えば、有色版データ５２は、ユーザによって指定された色および濃度値をオブジェクトごとに規定したデータである。
【００１６】
本実施の形態では、有色版データ５２は、ＲＧＢの各々の色の濃度値をオブジェクト毎に規定した、有色版データ５２Ｒ、５２Ｇ、５２Ｂ、の各々を含む。なお、有色版データ５２は、ベクター形式に限定されず、ラスター形式であってもよい。
【００１７】
特色版データ５４は、特色の濃度値を規定した画像データである。特色とは、ＣＭＹＫやＲＧＢなどの基本的な有色以外の色である。特色は、例えば、金属による金属色、白、透明、などである。本実施の形態では、一例として、特色が金属色である場合を一例として説明する。
【００１８】
金属色は、金属光沢を再現した色である。金属色は、例えば、金色や銀色などである。なお、金属色は、金色や銀色などの基本となる金属色に、更に、ＣＭＹＫやＲＧＢなどの色味を加味した色であってもよい。
【００１９】
図３は、有色版データ５２および特色版データ５４の具体例を示す説明図である。図３に示す例では、有色版データ５２には、矩形状の領域によって示されるオブジェクトに、ユーザが画像処理アプリケーションで指定した色に対応する濃度値が規定されている。また、図３に示す例では、特色版データ５４には、円状の領域によって示されるオブジェクトに、ユーザが画像処理アプリケーションで指定した濃度値が規定されている。
【００２０】
図１に戻り、ホスト装置１０は、例えば、予めインストールされた画像処理アプリケーションにより、入力画像データ５０を生成する。上述したように、入力画像データ５０は、有色版データ５２および特色版データ５４を含む。そして、ホスト装置１０は、入力画像データ５０を、ＤＦＥ２０へ送信する。なお、入力画像データ５０は、ＰｏｓｔＳｃｒｉｐｔ（登録商標）のようなページ記述言語（ＰＤＬ）に変換されてもよいし、ＤＦＥ２０が対応していれば、ＰＤＦ形式のままでもよい。
【００２１】
ＤＦＥ２０は、ホスト装置１０から入力画像データ５０を受信する。そして、ＤＦＥ２０は、入力画像データ５０から印刷データを生成し、ＭＩＣ３０を介して画像形成装置４０へ出力する。印刷データは、有色版データ５２および特色版データ５４の各々を、画像形成装置４０で処理可能な形式に変換したものである（詳細後述）。
【００２２】
画像形成装置４０は、ＤＦＥ２０から受信した印刷データに基づいて、記録媒体に画像を形成する。
【００２３】
図４は、画像形成装置４０の一例を示す模式図である。画像形成装置４０は、公知の電子写真方式の画像形成装置である。本実施の形態では、画像形成装置４０には、ＣＭＹＫの有色トナーと、特色トナーと、が少なくとも搭載されている。特色トナーとは、上記特色を実現するために用いるトナーである。特色トナーは、例えば、金属トナーや、透明な（無色の）トナーや、白色トナーなどがある。本実施の形態では、特色トナーとして、金属トナーを用いる場合を説明する。
【００２４】
金属トナーは、金属色を実現可能なトナーであればよい。金属トナーは、例えば、金属粒子や金属顔料の外側を樹脂で包含したものや、樹脂粒子中に金属微粒子を分散させたものを用いる。
【００２５】
特色トナーとして金属トナーを用いることで、金属トナーの付与された領域に、視覚的に金属的な質感を効果的に生じさせ、高付加価値を付与することが可能となる。
【００２６】
画像形成装置４０には、各トナー（ＣＭＹＫの各々の有色トナー、特色トナー）の各々に対して、感光体、帯電器、現像器、および感光体クリーナを含む作像ユニット、露光器および定着機の各々が搭載されている。
【００２７】
例えば、画像形成装置４０には、記録媒体Ｐを搬送するための搬送ベルト４３が設けられている。搬送ベルト４３は、環状であり、内側から、複数のローラ４８（ローラ４８Ａ、ローラ４８Ｂ、ローラ４８Ｃ）によって支持されている。搬送ベルト４３は、ローラ４８の回転に伴って回転する。これによって、搬送ベルト４３は、搬送ベルト４３の外側に供給された記録媒体Ｐを、搬送方向（矢印Ｘ方向参照）に搬送する。
【００２８】
画像形成装置４０は、有色用感光体４４と、特色用感光体４６と、を備える。有色用感光体４４は、感光体４４Ｃ、感光体４４Ｍ、感光体４４Ｙ、および、感光体４４Ｋを含む。感光体４４Ｃは、シアン（Ｃ）の有色トナーを記録媒体Ｐに付与する。感光体４４Ｍは、マゼンタ（Ｍ）の有色トナーを記録媒体Ｐに付与する。感光体４４Ｙは、イエロー（Ｙ）の有色トナーを記録媒体Ｐに付与する。感光体４４Ｋは、ブラック（Ｋ）の有色トナーを記録媒体Ｐに付与する。特色用感光体４６は、特色トナーを記録媒体Ｐに付与する。
【００２９】
感光体４４Ｃ、感光体４４Ｍ、感光体４４Ｙ、感光体４４Ｋ、および特色用感光体４６は、搬送ベルト４３の搬送方向（矢印Ｘ方向）の上流側から下流側に向かって、この順に配列されている。このため、記録媒体Ｐには、有色用感光体４４（感光体４４Ｃ、４４Ｍ、４４Ｙ、４４Ｋ）によってＣＭＹＫの有色トナーが付与された後に、特色用感光体４６によって特色トナーが付与される。
【００３０】
制御部４２は、印刷データに基づいて、有色用感光体４４および特色用感光体４６を制御することで、印刷データに応じた画像を形成するように制御する。
【００３１】
有色用感光体４４および特色用感光体４６によって、記録媒体Ｐには、有色トナーおよび特色トナーが、この順に付与される。有色トナーおよび特色トナーの付与された記録媒体Ｐは、ローラ４８によって矢印Ｘ方向に搬送された後に、矢印Ｙ方向に搬送され、定着部４９の位置へ到る。定着部４９は、記録媒体Ｐに付与された有色トナーおよび特色トナーを記録媒体Ｐに定着させる。これによって、記録媒体Ｐには、有色トナーによる有色画像および特色トナーによる特色画像が、この順に形成され、画像形成装置４０の外部へと排出される。
【００３２】
なお、記録媒体Ｐは、画像形成可能な媒体であればよい。記録媒体Ｐは、例えば、公知の紙媒体（用紙）、合成紙、ビニール紙などである。
【００３３】
図１に戻り、次に、ＤＦＥ２０について具体的に説明する。図５は、ＤＦＥ２０の機能的構成の一例を示すブロック図である。ＤＦＥ２０は、画像処理装置に相当する。
【００３４】
ＤＦＥ２０は、制御部２２と、記憶部２４と、を備える。制御部２２と記憶部２４とは、データや信号を授受可能に接続されている。
【００３５】
記憶部２４は、各種データを記憶する。記憶部２４は、例えば、ＨＤＤ（ハードディスクドライブ）である。本実施の形態では、記憶部２４は、色情報変換テーブル２４Ｂと、第１補正値テーブル２４Ｃと、第２補正値テーブル２４Ｄと、を予め記憶する。これらのテーブルは、後述する制御部２２による画像処理時に用いられる（詳細後述）。
【００３６】
次に、制御部２２について説明する。制御部２２は、ＤＦＥ２０全体を制御する。制御部２２は、受信部２２Ａと、印刷用データ生成部２２Ｂと、取得部２２Ｃと、補正部２２Ｄと、出力部２２Ｅと、を備える。受信部２２Ａ、印刷用データ生成部２２Ｂ、取得部２２Ｃ、補正部２２Ｄ、および、出力部２２Ｅの一部またはすべては、例えば、ＣＰＵ（Ｃｅｎｔｒａｌ  Ｐｒｏｃｅｓｓｉｎｇ  Ｕｎｉｔ）などの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００３７】
受信部２２Ａは、ホスト装置１０から入力画像データ５０を受付ける。受信部２２Ａは、受付けた入力画像データ５０を、印刷用データ生成部２２Ｂへ出力する。
【００３８】
印刷用データ生成部２２Ｂは、入力画像データ５０を用いて、印刷用データを生成する。図６は、印刷用データ６１の一例を示す模式図である。印刷用データ６１は、有色トナー版データ６２と、特色トナー版データ６４と、を含む。
【００３９】
有色トナー版データ６２は、有色トナーの有色付与量を画素毎に規定したものである。本実施の形態では、有色トナー版データ６２は、ＣＭＹＫの各色の有色トナー版データ６２Ｃ、６２Ｍ、６２Ｙ、６２Ｋからなる。有色トナー版データ６２Ｃ、６２Ｍ、６２Ｙ、６２Ｋの各々は、ＣＭＹＫの各々の色の有色トナーの有色付与量を画素毎に規定したものである。
【００４０】
印刷用データ生成部２２Ｂは、入力画像データ５０に含まれる、ＲＧＢの各々の有色版データ５２（５２Ｒ、５２Ｇ、５２Ｂ）について、ベクター形式をラスター形式に変換する。そして、印刷用データ生成部２２Ｂは、ラスター形式に変換したＲＧＢの各々の有色版データ５２（５２Ｒ、５２Ｇ、５２Ｂ）によって表される色空間を、ＣＭＹＫ形式の色空間に変換する。ＣＭＹＫ形式の色空間への変換には、公知の方法を用いればよい。
【００４１】
これによって、印刷用データ生成部２２Ｂは、有色版データ５２から、ＣＹＭＫの有色トナー版データ６２を生成する。
【００４２】
特色トナー版データ６４は、特色トナーの特色付与量を画素毎に規定したものである。
【００４３】
印刷用データ生成部２２Ｂは、入力画像データ５０に含まれる、特色版データ５４における濃度値の規定された領域を構成する画素に、該濃度値に対応する特色付与量を割り当てる。この処理により、印刷用データ生成部２２Ｂは、特色版データ５４から特色トナー版データ６４を生成する。
【００４４】
なお、特色版データ５４の濃度値に対応する特色付与量は、濃度値と特色付与量とを予め対応づけて記憶部２４に記憶しておけばよい。制御部２２は、例えば、濃度値が高いほど、大きい値の特色付与量を、予め対応づけて記憶部２４に記憶すればよい。印刷用データ生成部２２Ｂは、特色版データ５４に規定された濃度値に対応する特色付与量を読取ることで、特色トナー版データ６４を生成すればよい。
【００４５】
すなわち、印刷用データ生成部２２Ｂによって、画素毎の有色トナーの有色付与量と、画素毎の特色トナーの特色付与量と、が決定される。有色付与量および特色付与量は、記録媒体Ｐに付与する（すなわち定着させる）有色トナーおよび特色トナーの各々の単位面積当たりの定着量に関係する。
【００４６】
例えば、有色トナー版データ６２における、ある画素の有色付与量が０％を示す値である場合、この画素には有色トナーは付与されない。一方、有色トナー版データ６２における、ある画素の有色付与量が１００％を示す値である場合、この画素には、有色トナーが隙間なく付与される。同様に、特色トナー版データ６４における、ある画素の特色付与量が０％を示す値である場合、この画素には特色トナーは付与されない。一方、特色トナー版データ６４における、ある画素の特色付与量が１００％を示す値である場合、この画素には、特色トナーが隙間なく付与される。
【００４７】
印刷用データ生成部２２Ｂは、生成した有色トナー版データ６２および特色トナー版データ６４を含む印刷用データ６１を、取得部２２Ｃへ出力する。
【００４８】
取得部２２Ｃは、印刷用データ６１を取得する。上述したように、印刷用データ６１は、有色トナー版データ６２と、特色トナー版データ６４と、を含む。本実施の形態では、取得部２２Ｃは、印刷用データ生成部２２Ｂから印刷用データ６１を取得する。
【００４９】
そして、取得部２２Ｃは、印刷用データ６１を補正部２２Ｄへ出力する。また、取得部２２Ｃは、印刷用データ６１に含まれる有色トナー版データ６２を、出力部２２Ｅへ出力する。なお、印刷用データ６１に、有色トナー版データ６２および特色トナー版データ６４以外のデータ（例えば、ジョブコマンド５１）が含まれる場合がある。この場合、取得部２２Ｃは、ジョブコマンド５１についても、出力部２２Ｅへ出力する。
【００５０】
次に、補正部２２Ｄについて説明する。補正部２２Ｄは、有色トナー版データ６２を用いて、特色トナー版データ６４を補正する。
【００５１】
図７は、補正部２２Ｄの機能的構成例を示すブロック図である。補正部２２Ｄは、抽出部２２Ｆと、色版生成部２２Ｇと、補正値算出部２２Ｈと、補正版生成部２２Ｉと、を含む。補正値算出部２２Ｈは、第１の算出部２２Ｊおよび第２の算出部２２Ｋを含む。
【００５２】
抽出部２２Ｆ、色版生成部２２Ｇ、補正値算出部２２Ｈ、補正版生成部２２Ｉ、第１の算出部２２Ｊ、および第２の算出部２２Ｋの一部またはすべては、例えば、ＣＰＵなどの処理装置にプログラムを実行させること、すなわち、ソフトウェアにより実現してもよいし、ＩＣなどのハードウェアにより実現してもよいし、ソフトウェアおよびハードウェアを併用して実現してもよい。
【００５３】
抽出部２２Ｆは、取得部２２Ｃから印刷用データ６１を受付ける。そして、抽出部２２Ｆは、印刷用データ６１に含まれる特色トナー版データ６４における、特色領域の特色領域画像を抽出する。また、抽出部２２Ｆは、印刷用データ６１に含まれる有色トナー版データ６２における、該特色領域に対応する位置、大きさ、および範囲の有色領域画像を抽出する。
【００５４】
図８は、抽出部２２Ｆが行う抽出処理の一例の説明図である。抽出部２２Ｆは、特色トナー版データ６４における、特色付与量が０％より大きい値を示す領域Ｂを特定する。言い換えると、抽出部２２Ｆは、特色トナー版データ６４における、特色付与量が“０”を超える（特色付与量が無ではない）画素群からなる領域Ｂを特定する。
【００５５】
なお、抽出部２２Ｆは、０％より大きい値を示す特色付与量の画素が隣接している場合には、まとめて１つの領域Ｂとして特定する。また、抽出部２２Ｆは、０％より大きい値を示す特色付与量の画素が隣接していない場合には、別の領域Ｂとして特定する。なお、補正部２２Ｄでは（図７参照）、抽出部２２Ｆで抽出した各領域Ｂの各々ごとに、以下の処理を行う。
【００５６】
そして、抽出部２２Ｆは、特色トナー版データ６４から、該特色トナー版データ６４における、特定された領域Ｂ内の画像である特色領域画像６４Ｂを抽出する。
【００５７】
また、抽出部２２Ｆは、有色トナー版データ６２（６２Ｃ、６２Ｍ、６２Ｙ、６２Ｋ）の各々における、該領域Ｂと同じ位置、同じ大きさ、および同じ範囲の領域である領域Ｂ’を特定する。そして、抽出部２２Ｆは、有色トナー版データ６２（６２Ｃ、６２Ｍ、６２Ｙ、６２Ｋ）の各々から、該領域Ｂ’内の画像である有色領域画像６２Ｂを抽出する。すなわち、抽出部２２Ｆは、ＣＭＹＫの各色の有色トナー版データ６２の各々から、特色トナー版データ６４における領域Ｂに対応する領域Ｂ’の各々を抽出する。これによって、抽出部２２Ｆは、ＣＭＹＫの各色の有色トナー版データ６２から、ＣＭＹＫの各色の有色領域画像６２Ｂを抽出する。
【００５８】
そして、抽出部２２Ｆは、抽出したＣＭＹＫの各色の有色領域画像６２Ｂを、色版生成部２２Ｇへ出力する。また、抽出部２２Ｆは、抽出した特色領域画像６４Ｂを、補正版生成部２２Ｉへ出力する。
【００５９】
図７に戻り、次に、色版生成部２２Ｇについて説明する。色版生成部２２Ｇは、有色トナー版データ６２に規定された画素毎の有色付与量の各々を、色を示す色情報に変換した色版データを生成する。
【００６０】
本実施の形態では、色情報は、有色トナー版データ６２に規定された有色付与量の各々のＣＭＹＫの有色トナーの組合せによって実現される、色（色味）を示す情報である。
【００６１】
本実施の形態では、色情報を、Ｌａｂ色空間（Ｌａｂ表色系とも称する）によって表す場合を説明する。このため、本実施の形態では、色情報が、明度（Ｌ＊）、色相および彩度（ａ＊とｂ＊）によって表される場合を説明する。すなわち、本実施の形態では、色版生成部２２Ｇは、有色トナー版データ６２に規定された有色付与量の各々を、明度、色相、および彩度によって表される色情報に変換した、色版データを生成する形態を説明する。
【００６２】
なお、色情報は、明度を表す尺度を含む色空間によって表されていればよく、Ｌａｂ色空間に限定されない。例えば、色情報を、公知のＸＹＺ色空間（ＸＹＺ表色系とも称する）や、ＨＳＶ色空間によって表してもよい。
【００６３】
色版生成部２２Ｇは、公知の方法を用いて、有色付与量を色情報に変換する。例えば、色版生成部２２Ｇは、ＣＭＹＫの各々の有色付与量を画素値として扱い、絶対色空間に変換した後に、Ｌａｂ色空間によって表される色情報に変換してもよい。絶対色空間は、例えば、ｓＲＧＢやＡｄｏｂｅＲＧＢなどである。
【００６４】
本実施の形態では、色版生成部２２Ｇは、色情報変換テーブル２４Ｂを用いて、有色付与量を色情報に変換する。
【００６５】
図９は、色情報変換テーブル２４Ｂのデータ構成の一例を示す模式図である。色情報変換テーブル２４Ｂは、有色付与量と、色情報と、を対応づけたものである。色情報変換テーブル２４Ｂには、有色付与量として、ＣＭＹＫの各々の有色トナーの有色付与量が登録されている。色情報変換テーブル２４Ｂに登録されている色情報は、対応する有色付与量の各々のＣＭＹＫの有色トナーの組合せによって実現される、色（色味）を示す情報である。本実施の形態では、色情報変換テーブル２４Ｂにおける色情報は、明度（Ｌ＊）、色相（ａ＊）、および彩度（ｂ＊）によって表される。
【００６６】
すなわち、色情報変換テーブル２４Ｂは、ＣＭＹＫの各々の有色トナーの有色付与量の組合せに対応する色情報を登録した、ＬＵＴ（ルックアップテーブル）である。なお、色情報変換テーブル２４Ｂは、ＬＵＴに限定されず、ＩＣＣプロファイルのＢ２Ａ（ＢｔｏＡＴａｇ）テーブルであってもよい。
【００６７】
色版生成部２２Ｇは、ＣＭＹＫの有色トナー版データ６２について、同じ画素位置の画素ごとに、有色付与量を読取る。そして、色版生成部２２Ｇは、読取ったＣＭＹＫの各々の有色付与量の組合せに対応する色情報を、色情報変換テーブル２４Ｂから読取る。これにより、色版生成部２２Ｇは、各画素位置の画素の色情報を特定し、色版データを生成する。すなわち、色版生成部２２Ｇは、ＣＭＹＫの４版の有色トナー版データ６２（６２Ｃ、６２Ｍ、６２Ｙ、６２Ｋ）から、１版の色版データを生成する。
【００６８】
本実施の形態では、色版生成部２２Ｇは、ＣＭＹＫの有色トナー版データ６２における、抽出部２２Ｆで抽出された有色領域画像６２Ｂを構成する画素の各々の有色付与量を、色情報に変換する場合を一例として説明する。なお、色版生成部２２Ｇは、有色トナー版データ６２の全領域に含まれる画素の各々について、有色付与量を色情報に変換し、色版データを生成してもよい。
【００６９】
図１０は、本実施の形態の色版生成部２２Ｇによる、色版データ生成の一例の説明図である。まず、色版生成部２２Ｇは、抽出部２２Ｆから、ＣＭＹＫの各色の有色領域画像６２Ｂを取得する。そして、色版生成部２２Ｇは、画素ごとに、ＣＭＹＫの各色の有色領域画像６２Ｂに規定される、ＣＭＹＫの各々の有色付与量を読取る。
【００７０】
例えば、ある画素位置の画素の有色付与量が、シアン（Ｃ）１０％、マゼンタ（Ｍ）２５％、イエロー（Ｙ）７０％、ブラック（Ｋ）０％であったと仮定する。この場合、色版生成部２２Ｇは、これらのＹＭＣＫの有色付与量の組合せに対応する色情報を、色情報変換テーブル２４Ｂ（図９参照）から読取る。例えば、上記ＹＭＣＫの有色付与量の組合せに対応する色情報が、明度（Ｌ＊）８０、色相（ａ＊）５、彩度（ｂ＊）５０であったと仮定する。この場合、色版生成部２２Ｇは、該画素位置の画素について、明度（Ｌ＊）８０、色相（ａ＊）５、彩度（ｂ＊）５０を色情報として割り当てる。
【００７１】
そして、色版生成部２２Ｇは、有色領域画像６２Ｂを構成する全ての画素位置の画素の各々について、同様にして、ＣＭＹＫの有色付与量の組合せに対応する色情報を割り当てる。これによって、色版生成部２２Ｇは、有色トナー版データ６２における有色領域画像６２Ｂに規定された有色付与量を、色情報で表した、色領域画像６６Ｂを生成する。そして、色版生成部２２Ｇは、色領域画像６６Ｂを補正値算出部２２Ｈへ出力する。
【００７２】
なお、色版生成部２２Ｇは、有色トナー版データ６２の全画素について、有色付与量を色情報で表した色版データ６６を生成し、補正値算出部２２Ｈへ出力してもよい。
【００７３】
図７に戻り、次に、補正値算出部２２Ｈについて説明する。補正値算出部２２Ｈは、色版データ６６に基づいて、特色トナー版データ６４に規定された特色付与量を補正するための補正値を、画素毎に算出する。
【００７４】
本実施の形態では、補正値算出部２２Ｈは、色版生成部２２Ｇで生成された色領域画像６６Ｂに基づいて、特色トナー版データ６４における特色領域画像６４Ｂに規定された各画素の特色付与量を補正するための補正値を、画素ごとに算出する。
【００７５】
なお、補正値算出部２２Ｈは、色版データ６６の全画素（色領域画像６６Ｂを含む全画素）を用いて、特色トナー版データ６４の全画素の各々の特色付与量を補正するための補正値を、画素ごとに算出してもよい。
【００７６】
しかし、特色トナー版データ６４における、特色領域画像６４Ｂ以外の領域は、特色付与量が０％（特色トナーの付与無）の領域である。このため、補正値算出部２２Ｈは、色領域画像６６Ｂに基づいて補正値を算出することが、処理時間削減や処理の簡略化の観点から好ましい。
【００７７】
補正値算出部２２Ｈは、第１の算出部２２Ｊと、第２の算出部２２Ｋと、を含む。第１の算出部２２Ｊは、色版データ６６に基づいて、第１の補正値を画素毎に算出する。本実施の形態では、第１の算出部２２Ｊは、色領域画像６６Ｂを構成する各画素の色情報を用いて、第１の補正値を画素毎に算出する。
【００７８】
第１の補正値は、色情報によって表される明度が高いほど特色付与量が多くなるように、特色トナー版データ６４を補正するための補正値である。
【００７９】
本実施の形態では、第１の算出部２２Ｊは、第１補正値テーブル２４Ｃを用いて、色情報に対応する第１の補正値を算出する。
【００８０】
図１１は、第１補正値テーブル２４Ｃおよび後述する第２補正値テーブル２４Ｄのデータ構成の一例を示す模式図である。
【００８１】
第１補正値テーブル２４Ｃは、明度の差分（ΔＬ＊）と、第１の補正値と、を対応づけたものである。明度の差分（ΔＬ＊）は、特色領域画像６４Ｂに含まれる画素の明度から特色領域画像６４Ｂの明度の平均値を減算した減算値（明度−明度の平均値）である。
【００８２】
図１１（Ａ）に示すように、第１補正値テーブル２４Ｃには、この明度の差分（ΔＬ＊）が無い場合（“０”である場合）の第１の補正値として、補正無を示す値“１”が登録されている。また、第１補正値テーブル２４Ｃには、画素の明度が特色領域画像６４Ｂの明度の平均値より低いほど、特色付与量が少なくなるように補正するための第１の補正値が登録されている。また、第１補正値テーブル２４Ｃには、画素の明度が特色領域画像６４Ｂの明度の平均値より高いほど、特色付与量が多くなるように補正するための第１の補正値が登録されている。
【００８３】
補正値算出部２２Ｈは、色領域画像６６Ｂを構成する画素ごとに、色情報に対応する第１の補正値を第１補正値テーブル２４Ｃから読取る。この処理によって、補正値算出部２２Ｈは、色領域画像６６Ｂを構成する画素毎に第１の補正値を算出する。このため、補正値算出部２２Ｈは、色領域画像６６Ｂを構成する各画素について、色領域画像６６Ｂの明度の平均値より相対的に明るい明度を示す画素には、特色付与量を増やすための第１の補正値を算出する。また、補正値算出部２２Ｈは、色領域画像６６Ｂを構成する各画素について、色領域画像６６Ｂの明度の平均値より相対的に暗い明度を示す画素には、特色付与量を減らすための第１の補正値を算出する。
【００８４】
次に、第２の算出部２２Ｋについて説明する。第２の算出部２２Ｋは、色版データ６６に基づいて、第２の補正値を画素毎に算出する。本実施の形態では、第２の算出部２２Ｋは、色領域画像６６Ｂを構成する各画素の色情報を用いて、第２の補正値を画素毎に算出する。
【００８５】
第２の補正値は、予め定めた色空間における、色情報によって表される色相および彩度によって示される位置が、該色空間における予め定めた基準領域から離れるほど特色付与量が少なくなるように、特色トナー版データ６４を補正するための補正値である。基準領域は、例えば、色空間における、特色トナー（本実施の形態では金属トナー）自体の色に相当する領域であることが好ましい。
【００８６】
本実施の形態では、第２の算出部２２Ｋは、第２補正値テーブル２４Ｄを用いて、色情報に対応する第２の補正値を算出する。
【００８７】
図１１（Ｂ）は、第２補正値テーブル２４Ｄのデータ構成の一例を示す模式図である。第２補正値テーブル２４Ｄは、色相（ａ＊）と、彩度（ｂ＊）と、第２の補正値と、を対応づけたものである。
【００８８】
図１１に示す例では、Ｌａｂ色空間における、色相（ａ＊）が“５”で彩度（ｂ＊）が“５０”の位置を、基準領域として定めている。そして、第２の補正値は、色相および彩度が該基準領域から離れるほど、特色付与量が少なくなるように定められている。このため、第２の補正値には、０以上１以下の範囲の値が定められている。
【００８９】
本実施の形態では、第１の算出部２２Ｊは、第１補正値テーブル２４Ｃを用いて、色領域画像６６Ｂを構成する画素毎に第１の補正値を算出する。また、第２の算出部２２Ｋは、第２補正値テーブル２４Ｄを用いて、色領域画像６６Ｂを構成する画素毎に第２の補正値を算出する。
【００９０】
そして、補正値算出部２２Ｈは、色領域画像６６Ｂを構成する画素毎に算出された第１の補正値と第２の補正値との乗算値を、色領域画像６６Ｂを構成する画素ごとの補正値として算出する。
【００９１】
図１２は、補正値算出部２２Ｈが行う補正値算出処理の説明図である。すなわち、補正値算出部２２Ｈは、色版生成部２２Ｇから、色版データ６６の色領域画像６６Ｂを受付ける。
【００９２】
そして、補正値算出部２２Ｈは、色領域画像６６Ｂを構成する各画素の各々について、色情報から補正値を算出する。
【００９３】
例えば、色領域画像６６Ｂを構成するある画素位置の画素の色情報が、明度“８０”、色相“５”、彩度“５０”であったと仮定する。この場合、第１の算出部２２Ｊは、明度“８０”に対応する第１の補正値を第１補正値テーブル２４Ｃから読取る。第２の算出部２２Ｋは、色相“５”、彩度“５０”に対応する第２の補正値を第２補正値テーブル２４Ｄから読取る。そして、補正値算出部２２Ｈは、該画素位置の画素について算出した第１の補正値と第２の補正値との乗算値（第１の補正値×第２の補正値）を、該画素の補正値として算出する。同様にして、補正値算出部２２Ｈは、色領域画像６６Ｂを構成する全画素について、同様の処理を行う。
【００９４】
なお、補正値算出部２２Ｈは、第１の算出部２２Ｊおよび第２の算出部２２Ｋの何れか一方を含む形態であってもよい。補正値算出部２２Ｈが第１の算出部２２Ｊのみを含む場合、補正値算出部２２Ｈは、第１の補正値を補正値として用いればよい。一方、補正値算出部２２Ｈが第２の算出部２２Ｋのみを含む場合、補正値算出部２２Ｈは、第２の補正値を補正値として用いればよい。
【００９５】
補正値算出部２２Ｈは、色領域画像６６Ｂを構成する各画素の各々について算出した補正値を、補正版生成部２２Ｉへ出力する。
【００９６】
図７に戻り、次に、補正版生成部２２Ｉについて説明する。補正版生成部２２Ｉは、特色トナー版データ６４に規定された画素毎の特色付与量を、対応する画素の補正値を用いて補正した、補正特色トナー版データを生成する。
【００９７】
本実施の形態では、補正版生成部２２Ｉは、特色トナー版データ６４における特色領域画像６４Ｂの画素毎の特色付与量を、補正値算出部２２Ｈによって算出された対応する画素の補正値を用いて補正する。これによって、補正版生成部２２Ｉは、補正特色トナー版データを生成する。
【００９８】
図１３は、補正版生成部２２Ｉの補正版生成処理の説明図である。まず、補正版生成部２２Ｉは、補正値算出部２２Ｈから、有色領域画像６２Ｂを構成する画素毎の補正値を受付ける。また、補正版生成部２２Ｉは、抽出部２２Ｆから、特色トナー版データ６４における特色領域画像６４Ｂを受付ける。
【００９９】
そして、補正版生成部２２Ｉは、特色領域画像６４Ｂを構成する各画素の特色付与量に、色領域画像６６Ｂにおける対応する画素位置の画素の補正値を乗算する。これによって、補正版生成部２２Ｉは、特色領域画像６４Ｂにおける各画素の特色付与量を補正した、補正特色領域画像６５Ｂを生成する。そして、補正版生成部２２Ｉは、特色トナー版データ６４における特色領域画像６４Ｂを、生成した補正特色領域画像６５Ｂで置き換えることで、補正特色トナー版データ６５を生成する。
【０１００】
すなわち、補正特色トナー版データ６５は、特色トナー版データ６４に規定された画素毎の特色付与量を、対応する画素の補正値を用いて補正したものである。補正版生成部２２Ｉは、この補正特色トナー版データ６５を、出力部２２Ｅへ出力する。
【０１０１】
なお、単位面積当たりに付与可能なトナーの付与量には、最大値（１００％）がある。このため、補正版生成部２２Ｉは、次の処理を行うことが好ましい。すなわち、補正版生成部２２Ｉは、補正値を用いて補正した後の画素に対応するトナー（有色トナーおよび特色トナー）の総付与量が上記最大値を超える場合、該総付与量が最大値となるように、補正値を算出することが好ましい。
【０１０２】
図５に戻り、出力部２２Ｅは、取得部２２Ｃから有色トナー版データ６２を受付ける。すなわち、出力部２２Ｅは、取得部２２Ｃから、ＹＭＣＫの各々の有色トナー版データ６２（６２Ｙ、６２Ｍ、６２Ｃ、６２Ｋ）を受付ける。また、出力部２２Ｅは、補正部２２Ｄから、補正特色トナー版データ６５を受付ける。
【０１０３】
そして、出力部２２Ｅは、この有色トナー版データ６２および補正特色トナー版データ６５を含む印刷データを、画像形成装置４０へ出力する。
【０１０４】
図１４は、印刷データ６０を示す模式図である。図１４に示すように、印刷データ６０は、有色トナー版データ６２と、補正特色トナー版データ６５と、を含む。
【０１０５】
このため、本実施の形態のＤＦＥ２０では、特色トナー版データ６４に代えて補正特色トナー版データ６５を含む印刷データ６０を、画像形成装置４０へ出力する。
【０１０６】
図１に戻り、印刷データ６０を受付けた画像形成装置４０は、印刷データ６０に基づいて、有色トナーによる有色画像および特色トナーによる特色画像を記録媒体Ｐへ形成する。
【０１０７】
ここで、印刷データ６０に含まれる補正特色トナー版データ６５は、有色トナー版データ６２によって示される各画素の色（色味）を示す色情報に基づいて、特色トナー版データ６４を補正したものである。このため、画像形成装置４０では、有色トナー版データ６２に規定された有色付与量の有色トナーを記録媒体Ｐへ付与すると共に、補正特色トナー版データ６５に規定された特色付与量の特色トナーを記録媒体Ｐへ付与する。
【０１０８】
このため、記録媒体Ｐに形成された有色トナーによる有色画像上には、有色トナー版データ６２によって示される色に応じて調整された特色付与量の特色トナーが付与される。
【０１０９】
次に、本実施の形態のＤＦＥ２０で実行する画像処理の手順を説明する。図１５は、本実施の形態のＤＦＥ２０で実行する画像処理の手順の一例を示す、フローチャートである。
【０１１０】
まず、受信部２２Ａが、ホスト装置１０から入力画像データ５０を受信する（ステップＳ１００）。次に、印刷用データ生成部２２Ｂが、入力画像データ５０から、印刷用データ６１を生成する（ステップＳ１０２）。すなわち、印刷用データ生成部２２Ｂは、有色トナー版データ６２および特色トナー版データ６４を含む、印刷用データ６１を生成する。
【０１１１】
次に、取得部２２Ｃが、印刷用データ生成部２２Ｂから印刷用データ６１を取得する（ステップＳ１０４）。ステップＳ１０４の処理によって、取得部２２Ｃは、印刷用データ６１に含まれる特色トナー版データ６４およびＹＭＣＫの各色の有色トナー版データ６２を取得する。
【０１１２】
次に、補正部２２Ｄの抽出部２２Ｆが、ステップＳ１０４で取得した特色トナー版データ６４における、特色付与量が“０”を超える領域Ｂの特色領域画像６４Ｂを抽出する（ステップＳ１０６）。また、ステップＳ１０６において、抽出部２２Ｆは、ステップＳ１０４で取得した有色トナー版データ６２における、該領域Ｂに対応する領域の有色領域画像６２Ｂを抽出する。
【０１１３】
次に、色版生成部２２Ｇが、抽出部２２Ｆで抽出された、ＣＭＹＫの有色領域画像６２Ｂを構成する画素の各々の有色付与量を、色情報に変換することで、色版データ６６を生成する（ステップＳ１０８）。本実施の形態では、上述したように、色版生成部２２Ｇは、色領域画像６６Ｂを生成する。
【０１１４】
次に、補正値算出部２２Ｈが、ステップＳ１０８の処理によって色版生成部２２Ｇで生成された色領域画像６６Ｂに基づいて、補正値を算出する（ステップＳ１１０）。
【０１１５】
次に、補正版生成部２２Ｉが、ステップＳ１１０で算出された補正値と、ステップＳ１０４で取得した特色トナー版データ６４と、を用いて、補正特色トナー版データ６５を生成する（ステップＳ１１２）。本実施の形態では、補正版生成部２２Ｉは、特色トナー版データ６４における特色領域画像６４Ｂの画素毎の特色付与量を、有色領域画像６２Ｂの色情報に基づいて算出された画素毎の補正値を用いて補正する。これによって、補正版生成部２２Ｉは、補正特色トナー版データ６５を生成する。
【０１１６】
次に、出力部２２Ｅが、ステップＳ１１２で生成された補正特色トナー版データ６５と、ステップＳ１０４で取得した印刷用データ６１と、を含む印刷データ６０を、画像形成装置４０へ出力する（ステップＳ１１４）。そして、本ルーチンを終了する。
【０１１７】
以上説明したように、本実施の形態のＤＦＥ２０（画像処理装置）は、取得部２２Ｃと、色版生成部２２Ｇと、補正値算出部２２Ｈと、補正版生成部２２Ｉと、出力部２２Ｅと、を備える。取得部２２Ｃは、有色トナーの有色付与量を画素毎に規定した有色トナー版データ６２と、特色トナーの特色付与量を画素毎に規定した特色トナー版データ６４と、を含む印刷用データ６１を取得する。色版生成部２２Ｇは、有色トナー版データ６２に規定された画素毎の有色付与量の各々を、色を示す色情報に変換した色版データ６６を生成する。補正値算出部２２Ｈは、色版データ６６に基づいて、特色トナー版データ６４に規定された特色付与量を補正するための補正値を画素毎に算出する。補正版生成部２２Ｉは、特色トナー版データ６４に規定された画素毎の特色付与量を、対応する画素の補正値を用いて補正した補正特色トナー版データ６５を生成する。出力部２２Ｅは、有色トナー版データ６２と、補正特色トナー版データ６５と、を含む印刷データ６０を、画像形成装置４０へ出力する。
【０１１８】
このように、本実施の形態のＤＦＥ２０では、印刷用データ６１に含まれる特色トナー版データ６４に規定された画素毎の特色付与量を、有色トナー版データ６２に規定された有色付与量に応じた色情報に基づいて補正する。
【０１１９】
このため、ＤＦＥ２０では、有色トナーによって実現される色味に応じて、特色トナー版データ６４に規定された特色付与量を補正することができる。
【０１２０】
従って、本実施の形態のＤＦＥ２０では、有色トナーによって実現される色味を損なわずに、特色トナーによる特色効果を実現することができる。
【０１２１】
また、色版生成部２２Ｇは、有色トナー版データ６２に規定された有色付与量の各々を、明度、色相、および彩度によって表される色情報に変換した、色版データ６６を生成する。
【０１２２】
このように、色版生成部２２Ｇが、色情報として、明度、色相、および彩度によって表される色情報を用いる。このため、本実施の形態のＤＦＥ２０では、有色トナー版データ６２に規定された有色付与量の有色トナーによって実現される明度、色相、および彩度を損なわずに、特色トナーによる特色効果を実現することができる。
【０１２３】
補正値算出部２２Ｈは、第１の算出部２２Ｊを含むことが好ましい。第１の算出部２２Ｊは、色版データ６６に基づいて、色情報によって表される明度が高いほど特色付与量が多くなるように、特色トナー版データ６４を補正するための第１の補正値を補正値として画素毎に算出する。
【０１２４】
第１の補正値を用いることによって、ＤＦＥ２０では、有色トナー版データ６２における各画素が表現する色（色味）によって実現される金属反射成分が明度が高いほど強調されるように、特色トナー版データ６４に規定される特色付与量を補正することができる。
【０１２５】
詳細には、有色トナー版データ６２に規定された有色付与量によって表される色情報の明度が高い画素には、特色トナー版データ６４に規定された特色付与量が多くなるように補正することができる。このため、有色トナー版データ６２に規定された有色付与量によって表される色（色味）に含まれる金属反射成分を、特色トナーを用いて表現することができる。
【０１２６】
このため、ＤＦＥ２０では、有色トナーによって実現される色味に含まれる金属反射成分（金属光沢成分）を損なわずに、特色トナーによる特色効果を実現することができる。言い換えると、ＤＦＥ２０は、入力画像データ５０に含まれる有色版データ５２に基づいた形で、金属反射を強調することが可能となる。
【０１２７】
また、有色トナー版データ６２に規定された有色付与量によって表される色情報の明度が低い画素には、特色トナー版データ６４に規定された特色付与量が低くなるように補正することができる。このため、有色トナー版データ６２に規定された有色付与量によって表される色情報の明度が高い領域との、金属反射成分量の差を大きくすることができる。このため、有色トナー版データ６２に規定された有色付与量によって表される色情報の明度が高い画素の領域の、金属反射成分を強調することが可能となる。
【０１２８】
また、補正値算出部２２Ｈは、第２の算出部２２Ｋを含むことが好ましい。第２の算出部２２Ｋは、色版データ６６に基づいて、予め定めた色空間における、色情報によって表される色相および彩度によって示される位置が、色空間における予め定めた基準領域から離れるほど特色付与量が少なくなるように、特色トナー版データ６４を補正するための第２の補正値を補正値として画素毎に算出する。また、基準領域は、色空間における、特色トナー（本実施の形態では金属トナー）の本来の色を示す領域であることが好ましい。
【０１２９】
このため、有色トナー版データ６２に規定された有色付与量によって表される色情報の色相および彩度が、金属トナーの本来の色から大きく離れている場合に、特色トナーの特色付与量を少なくするように補正することができる。これによって、ＤＦＥ２０は、金属反射成分の調整を行うことができる。
【０１３０】
また、補正値算出部２２Ｈは、第１の算出部２２Ｊおよび第２の算出部２２Ｋの双方を含むことが好ましい。この場合、補正値算出部２２Ｈは、第１の算出部２２Ｊが算出した第１の補正値と、第２の算出部２２Ｋが算出した第２の補正値と、の乗算値を、補正値として画素毎に算出することが好ましい。
【０１３１】
また、特色トナーは、金属色の金属トナーであることが好ましい。
【０１３２】
特色トナーに金属トナーを用いることで、金属トナーの付与された記録媒体Ｐに、視覚的に金属的な質感を効果的に生じさせることが可能となる。また、有色トナーのみでは表現できない高い付加価値を記録媒体Ｐへ有色画像に付加することができる。
【０１３３】
（第２の実施の形態）
第１の実施の形態では、ＤＦＥ２０が、有色版データ５２と特色版データ５４とを含む入力画像データ５０を、ホスト装置１０から受信する形態を説明した。そして、ＤＦＥ２０が、特色版データ５４を用いて特色トナー版データ６４を生成する形態を説明した。
【０１３４】
本実施の形態では、ユーザによって指定された特色領域に基づいて、ＤＦＥ２１が特色トナー版データ６４を生成する形態を説明する。
【０１３５】
図１は、本実施の形態の画像処理システム１Ａの一例を示す模式図である。画像処理システム１Ａは、ホスト装置１０と、ＤＦＥ２１と、ＭＩＣ３０と、画像形成装置４０と、を含む。なお、画像処理システム１Ａは、ＤＦＥ２０に代えてＤＦＥ２１を備えた以外は、第１の実施の形態の画像処理システム１と同様である。
【０１３６】
図１６は、ＤＦＥ２１の機能的構成の一例を示すブロック図である。ＤＦＥ２１は、画像処理装置に相当する。
【０１３７】
ＤＦＥ２１は、制御部２３と、記憶部２４と、ＵＩ（ユーザ・インターフェース）部２５を備える。制御部２３と、ＵＩ部２５および記憶部２４とは、データや信号を授受可能に接続されている。記憶部２４は、第１の実施の形態と同様である。
【０１３８】
ＵＩ部２５は、表示部２５Ａおよび入力部２５Ｂを含む。表示部２５Ａは、各種情報を表示する公知の表示装置である。表示部２５Ａは、例えば、液晶表示装置などである。入力部２５Ｂは、ユーザによる操作指示を受付ける。入力部２５Ｂは、例えば、キーボードなどである。なお、表示部２５Ａおよび入力部２５Ｂを一体的に構成し、タッチパネルとしてもよい。
【０１３９】
制御部２３は、ＤＦＥ２１全体を制御する。制御部２３は、受信部２３Ａと、印刷用データ生成部２３Ｂと、取得部２３Ｃと、補正部２２Ｄと、出力部２２Ｅと、受付部２３Ｍと、特色版生成部２３Ｎと、を備える。
【０１４０】
受信部２３Ａ、印刷用データ生成部２３Ｂ、取得部２３Ｃ、補正部２２Ｄ、出力部２２Ｅ、受付部２３Ｍ、および、特色版生成部２３Ｎの一部またはすべては、例えば、ＣＰＵなどの処理装置にプログラムを実行させること、すなわち、ソフトウェアにより実現してもよいし、ＩＣなどのハードウェアにより実現してもよいし、ソフトウェアおよびハードウェアを併用して実現してもよい。
【０１４１】
受信部２３Ａは、ホスト装置１０から入力画像データを受付ける。本実施の形態では、受信部２３Ａは、特色版データ５４を含まず、且つ、有色版データ５２を含む入力画像データを受付ける。
【０１４２】
受信部２３Ａは、受付けた有色版データ５２を印刷用データ生成部２３Ｂへ出力する。印刷用データ生成部２３Ｂは、第１の実施の形態の印刷用データ生成部２２Ｂと同様にして、有色版データ５２から有色トナー版データ６２を生成する。すなわち、印刷用データ生成部２３Ｂは、特色トナー版データ６４を生成しない以外は、第１の実施の形態の印刷用データ生成部２２Ｂと同様である。
【０１４３】
印刷用データ生成部２３Ｂは、生成した有色トナー版データ６２を取得部２３Ｃへ出力する。
【０１４４】
受付部２３Ｍは、特色トナーを付与する特色領域の指定を受付ける。例えば、ユーザは、入力部２５Ｂを操作しながら表示部２５Ａを参照し、特色領域の入力を行う。ユーザは、入力部２５Ｂを操作することによって、特色トナーを付与する特色領域の位置、大きさ、および範囲を指定する。受付部２３Ｍは、特色領域の指定を受付けることで、特色領域の位置、大きさ、および範囲を示す特色情報を受付ける。
【０１４５】
特色版生成部２３Ｎは、受付部２３Ｍで受付けた特色領域を用いて、特色トナー版データ６４を生成する。詳細には、特色版生成部２３Ｎは、受付けた特色領域を構成する画素の各々に予め定めた値を特色付与量として規定する。また、特色版生成部２３Ｎは、特色領域以外の外部領域を構成する画素に、付与量無しを示す値を特色付与量として規定する。これらの規定により、特色版生成部２３Ｎは、特色トナー版データ６４を生成する。
【０１４６】
すなわち、本実施の形態では、ユーザが、特色トナーを付与する特色領域を指定すると、ＤＦＥ２１側で、該特色領域を構成する画素の各々に特色付与量を規定した、特色トナー版データ６４を生成する。
【０１４７】
そして、特色版生成部２３Ｎは、生成した特色トナー版データ６４を取得部２３Ｃへ出力する。
【０１４８】
このため、取得部２３Ｃは、有色トナー版データ６２を印刷用データ生成部２３Ｂから受信し、特色トナー版データ６４を特色版生成部２３Ｎから受信することで、印刷用データ６１を取得する。すなわち、取得部２３Ｃは、有色トナー版データ６２と、特色版生成部２３Ｎで生成された特色トナー版データ６４と、を含む印刷用データ６１を取得する。
【０１４９】
補正部２２Ｄおよび出力部２２Ｅは、第１の実施の形態と同様である。このため、詳細な説明を省略する。
【０１５０】
次に、本実施の形態のＤＦＥ２１で実行する画像処理の手順を説明する。図１７は、本実施の形態のＤＦＥ２１で実行する画像処理の手順の一例を示す、フローチャートである。
【０１５１】
まず、受信部２３Ａが、ホスト装置１０から入力画像データを受信する（ステップＳ２００）。ステップＳ２００で受信する入力画像データには、有色版データ５２は含まれるが、特色版データ５４は含まれない。
【０１５２】
次に、印刷用データ生成部２３Ｂが、有色版データ５２から有色トナー版データ６２を生成する（ステップＳ２０２）。
【０１５３】
次に、受付部２３Ｍが、入力部２５Ｂから特色領域の指定を受付ける（ステップＳ２０４）。特色版生成部２３Ｎは、該指定された特色領域の位置、大きさ、および範囲に基づいて、特色トナー版データ６４を生成する（ステップＳ２０６）。
【０１５４】
次に、取得部２３Ｃが、印刷用データ生成部２３Ｂから有色トナー版データ６２を取得する（ステップＳ２０８）。また、ステップＳ２０８において、取得部２３Ｃは、特色版生成部２３Ｎから特色トナー版データ６４を取得する（ステップＳ２０８）。
【０１５５】
次に、ＤＦＥ２１では、第１の実施の形態におけるステップＳ１０６〜ステップＳ１１４と同様にして、ステップＳ２１０〜ステップＳ２１８の処理を実行し、本ルーチンを終了する。
【０１５６】
以上説明したように、本実施の形態のＤＦＥ２１は、受付部２３Ｍと、特色版生成部２３Ｎと、を備える。受付部２３Ｍは、特色トナーを付与する特色領域の指定を受付ける。特色版生成部２３Ｎは、受付けた特色領域を構成する画素に予め定めた値を特色付与量として規定し、特色領域以外の外部領域を構成する画素に付与量無しを示す値を特色付与量として規定した、特色トナー版データ６４を生成する。そして、取得部２３Ｃは、有色トナー版データ６２と、特色版生成部２３Ｎで生成された特色トナー版データ６４と、を含む印刷用データ６１を取得する。
【０１５７】
このように、本実施の形態のＤＦＥ２１では、ユーザによって指定された特色領域に、特色付与量を規定した特色トナー版データ６４を生成する。このため、本実施の形態のＤＦＥ２１では、第１の実施の形態の効果に加えて、ユーザによる操作性の向上を図ることができる。
【０１５８】
＜変形例１＞
上記実施の形態では、ホスト装置１０と、ＤＦＥ２０と、ＭＩＣ３０と、画像形成装置４０と、を別体として構成した形態を説明した。しかし、ホスト装置１０、ＤＦＥ２０、ＭＩＣ３０、および画像形成装置４０の内の少なくとも２つ以上を、一体的に構成してもよい。
【０１５９】
図１８は、画像処理システム１Ｃの一例を示す模式図である。例えば、図１８に示すように、画像処理システム１Ｃを、ホスト装置１０と、画像形成装置８０と、を備えた構成としてもよい。
【０１６０】
この場合、画像形成装置８０は、ＤＦＥ機能部８２と、ＭＩＣ機能部８４と、画像形成部８６と、を備えた構成とすればよい。ＤＦＥ機能部８２は、上記実施の形態のＤＦＥ２０またはＤＦＥ２１で実行する画像処理を行う。ＭＩＣ機能部８４は、上記実施の形態のＭＩＣ３０で実行する処理を行う。画像形成部８６は、上記実施の形態の画像形成装置４０で実行する処理を行う。
【０１６１】
すなわち、ＤＦＥ機能部８２、ＭＩＣ機能部８４、および画像形成部８６の各々は、上記実施の形態で説明したＤＦＥ２０またはＤＦＥ２１、ＭＩＣ３０、および画像形成装置４０の各々と同様の機能構成であればよい。
【０１６２】
＜変形例２＞
また、上記実施の形態における、一の装置で行っていた複数の処理のいずれかを、一の装置とネットワークを介して接続する１以上の他の装置で行う構成にしてもよい。例えば、ＤＦＥ２０またはＤＦＥ２１の機能の一部を、ネットワーク上のサーバ装置上に実装してもよい。
【０１６３】
図１９は、本変形例の画像処理システム１Ｄの構成を例示する図である。画像処理システム１Ｄは、ホスト装置１０と、ＤＦＥ３０２０と、ＭＩＣ３０と、画像形成装置４０と、を備える。ホスト装置１０、ＭＩＣ３０Ｍ、および画像形成装置４０は、第１の実施の形態および第２の実施の形態と同様である。
【０１６４】
本変形例では、ＤＦＥ３０２０がインターネット等のネットワークを介して、サーバ装置３０６０と接続された構成となっている。また、画像処理システム１Ｄでは、例えば、第１の実施の形態のＤＦＥ２０における受信部２２Ａ、印刷用データ生成部２２Ｂ、取得部２２Ｃ、補正部２２Ｄ、出力部２２Ｅ、および記憶部２４の少なくとも１つを、サーバ装置３０６０に設けた構成であってもよい。また、ＤＦＥ３０２０に代えて、第２の実施の形態のＤＦＥ２１に相当する、ＤＦＥ３０２１を備えた構成であってもよい。この場合、ＤＦＥ３０２１に設けられた複数の機能部の内の少なくとも１つを、サーバ装置３０６０に設けた構成とすればよい。
【０１６５】
次に、上述した実施の形態および変形例のホスト装置１０、ＤＦＥ２０，２１、３０２０，３０２１、画像形成装置４０、および画像形成装置８０のハードウェア構成について説明する。
【０１６６】
図２０は、ホスト装置１０、ＤＦＥ２０，２１、３０２０，３０２１、画像形成装置４０、および画像形成装置８０のハードウェア構成図である。ホスト装置１０、ＤＦＥ２０，２１、３０２０，３０２１、画像形成装置４０、および画像形成装置８０は、ＣＰＵ２９０１と、ＲＯＭ２９０２と、ＲＡＭ２９０３と、ＨＤＤ２９０４と、Ｉ／Ｆ２９０５と、がバス２９０６を介して接続されている。Ｉ／Ｆ２９０５には、通信装置や、表示装置や、入力装置などが接続される。
【０１６７】
上記実施の形態および変形例のホスト装置１０、ＤＦＥ２０，２１、３０２０，３０２１、画像形成装置４０、および画像形成装置８０で実行される処理は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記録されてコンピュータプログラムプロダクトとして提供される。
【０１６８】
また、上記実施の形態および変形例のホスト装置１０、ＤＦＥ２０，２１、３０２０，３０２１、画像形成装置４０、および画像形成装置８０で実行されるプログラムを、インターネット等のネットワークに接続されたコンピュータ上に格納し、ネットワーク経由でダウンロードさせることにより提供するように構成してもよい。また、上記実施の形態および変形例のホスト装置１０、ＤＦＥ２０，２１、３０２０，３０２１、画像形成装置４０、および画像形成装置８０で実行されるプログラムをインターネット等のネットワーク経由で提供または配布するように構成してもよい。
【０１６９】
また、上記実施の形態および変形例のホスト装置１０、ＤＦＥ２０，２１、３０２０，３０２１、画像形成装置４０、および画像形成装置８０で実行されるプログラムを、ＲＯＭ２９０２等に予め組み込んで提供するように構成してもよい。
【０１７０】
なお、本発明は上記実施の形態および変形例そのままに限定されるものではなく、実施段階ではその要旨を逸脱しない範囲で構成要素を変形して具体化できる。また、上記実施の形態および変形例に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。また、種々の変形が可能である。
【０１７１】
なお、上述した実施の形態の画像処理システムは、ＭＩＣ３０を備えた構成としているが、これに限定されるものではない。上述したＭＩＣ３０が行う処理、機能をＤＦＥ２０等の他の装置にもたせて、ＭＩＣ３０を設けない構成としてもよい。
【符号の説明】
【０１７２】
２０、２１、３０２０、３０２１  ＤＦＥ
２２Ｃ、２３Ｃ  取得部
２２Ｅ  出力部
２２Ｆ  抽出部
２２Ｇ  色版生成部
２２Ｈ  補正値算出部
２２Ｉ  補正版生成部
２２Ｊ  第1の算出部
２２Ｋ  第２の算出部
２３Ｍ  受付部
２３Ｎ  特色版生成部
８０  画像形成装置
【先行技術文献】
【特許文献】
【０１７３】
【特許文献１】特開２０１４−０３５４１９号公報
【図１】
0006686489.tif 000002
【図２】
0006686489.tif 000003
【図３】
0006686489.tif 000004
【図４】
0006686489.tif 000005
【図５】
0006686489.tif 000006
【図６】
0006686489.tif 000007
【図７】
0006686489.tif 000008
【図８】
0006686489.tif 000009
【図９】
0006686489.tif 000010
【図１０】
0006686489.tif 000011
【図１１】
0006686489.tif 000012
【図１２】
0006686489.tif 000013
【図１３】
0006686489.tif 000014
【図１４】
0006686489.tif 000015
【図１５】
0006686489.tif 000016
【図１６】
0006686489.tif 000017
【図１７】
0006686489.tif 000018
【図１８】
0006686489.tif 000019
【図１９】
0006686489.tif 000020
【図２０】
0006686489.tif 000021